(57)【要約】  本発明は、ネットワークノード及びユーザデバイスに関する。ネットワークノード（１００）は、第１の開始インデックス（Ｉ１）及び周波数リソースの第１の数（Ｎ１）を含むリソースインジケータ（１１０）を決定するように構成されるプロセッサ（１０２）であって、第１の開始インデックス（Ｉ１）及び周波数リソースの第１の数（Ｎ１）は、第１のサブバンドに、連続した第１のセットの周波数リソース（Ｒ１）、及び第２のサブバンドに、対応する連続した第１のセットの周波数リソース（Ｒ１'）を割り当てるために使用され、第１のサブバンド及び第２のサブバンドは、重複せず、等しい数の周波数リソースを含む、プロセッサ（１０２）と、リソースインジケータ（１１０）を含む送信グラント（１２０）を、ユーザデバイス（３００）に送信するように構成される、トランシーバ（１０４）とを備える。ユーザデバイス（３００）は、ネットワークノード（１００）からリソースインジケータ（１１０）を含む送信グラント（１２０）を受信するように構成されるトランシーバ（３０２）であって、リソースインジケータ（１１０）は、第１の開始インデックス（Ｉ１）及び周波数リソースの第１の数（Ｎ１）を含み、第１の開始インデックス（Ｉ１）及び周波数リソースの第１の数（Ｎ１）は、第１のサブバンドに、連続した第１のセットの周波数リソース（Ｒ１）、及び第２のサブバンドに、対応する連続した第１のセットの周波数リソース（Ｒ１'）を割り当てるために使用され、第１のサブバンド及び第２のサブバンドは、重複せず、等しい数の周波数リソースを含む、トランシーバ（３０２）と、リソースインジケータ（１１０）に基づいて、第１の開始インデックス（Ｉ１）及び周波数リソースの第１の数（Ｎ１）を導出するように構成されるプロセッサ（３０４）とを備え、トランシーバ（３０２）は、連続した第１のセットの周波数リソース（Ｒ１）及び対応する連続した第１のセットの周波数リソース（Ｒ１'）を用いてデータシンボルをネットワークノード（１００）に送信するように構成される。更に、本発明は、対応する方法、無線通信システム、コンピュータプログラム、及びコンピュータプログラム製品にも関する。
2019512180.tif 000002
【特許請求の範囲】
【請求項１】
無線通信システム（５００）のためのネットワークノードであって、
第１の開始インデックス（Ｉ１）及び周波数リソースの第１の数（Ｎ１）を含むリソースインジケータ（１１０）を決定するように構成されるプロセッサ（１０２）であって、前記第１の開始インデックス（Ｉ１）及び周波数リソースの前記第１の数（Ｎ１）は、
第１のサブバンドに、連続した第１のセットの周波数リソース（Ｒ１）、及び
第２のサブバンドに、対応する連続した第１のセットの周波数リソース（Ｒ１'）
を割り当てるために使用され、
前記第１のサブバンド及び前記第２のサブバンドは、重複せず、等しい数の周波数リソースを含む、プロセッサ（１０２）と、
前記リソースインジケータ（１１０）を含む送信グラント（１２０）を、ユーザデバイス（３００）に送信するように構成される、トランシーバ（１０４）と
を備えるネットワークノード（１００）。
【請求項２】
前記トランシーバ（１０４）は、
前記ユーザデバイス（３００）と関連付けられた基準信号と、
前記ユーザデバイス（３００）の送信バッファにおけるビットの総数と、
前記ユーザデバイス（３００）で利用可能な送信電力と
のうちの少なくとも１つを含むユーザデバイス情報（１３０）を受信する
ように構成され、
前記プロセッサ（１０２）は、
前記受信されたユーザデバイス情報に基づいて前記リソースインジケータ（１１０）を決定する
ように構成される、
請求項１に記載のネットワークノード（１００）。
【請求項３】
全てのサブバンドの割り当てられた周波数リソースの総数が、予め定められた値のセットに属する場合、前記無線通信システム（５００）は、
同じ周波数リソース割り当てを有する複数の重複しないサブバンド、又は
前記第１のサブバンド又は前記第２のサブバンドにおける前記周波数リソース割り当てとは異なる周波数リソース割り当てを有する少なくとも１つの第３のサブバンド
を備える、請求項１又は２に記載のネットワークノード（１００）。
【請求項４】
前記リソースインジケータ（１１０）は、
前記第１のサブバンドに、連続した第２のセットの周波数リソース（Ｒ２）、及び
前記第２のサブバンドに、対応する連続した第２のセットの周波数リソース（Ｒ２'）
を割り当てるために用いられる第２の開始インデックス（Ｉ２）及び周波数リソースの第２の数（Ｎ２）
を更に含む、上述の請求項の何れかに記載のネットワークノード（１００）。
【請求項５】
前記連続した第１のセットの周波数リソース（Ｒ１）は、前記第１のサブバンドの第１のサブ領域内に、及び前記第２のサブバンドの対応する第１のサブ領域内に割り当てられ、前記連続した第２のセットの周波数リソース（Ｒ２'）は、前記第１のサブバンドの第２のサブ領域内に、及び前記第２のサブバンドの対応する第２のサブ領域内に割り当てられ、
前記第１のサブ領域及び前記第２のサブ領域は、重複せず、等しい数の周波数リソースを含む、
請求項４に記載のネットワークノード（１００）。
【請求項６】
前記プロセッサ（１０２）は、
前記リソースインジケータ（１１０）を第１の割り当て値及び第２の割り当て値として決定する
ように構成され、
前記第１の割り当て値は、前記第１の開始インデックス（Ｉ１）及び周波数リソースの前記第１の数（Ｎ１）、又は、前記第１のサブ領域及び前記対応する第１のサブ領域内の周波数リソースの空のセットのいずれかを示し、
前記第２の割り当て値は、前記第２の開始インデックス（Ｉ２）及び周波数リソースの前記第２の数（Ｎ２）、又は、前記第２のサブ領域及び前記対応する第２のサブ領域内の周波数リソースの空のセットのいずれかを示す、
請求項５に記載のネットワークノード（１００）。
【請求項７】
前記プロセッサ（１０２）は、
前記リソースインジケータ（１１０）を単一の割り当て値として決定する
ように構成される、請求項１又は２に記載のネットワークノード（１００）。
【請求項８】
無線通信システム（５００）のためのユーザデバイスであって、
前記ユーザデバイスは、
ネットワークノード（１００）からリソースインジケータ（１１０）を含む送信グラント（１２０）を受信するように構成されるトランシーバ（３０２）であって、前記リソースインジケータ（１１０）は、第１の開始インデックス（Ｉ１）及び周波数リソースの第１の数（Ｎ１）を含み、前記第１の開始インデックス（Ｉ１）及び周波数リソースの第１の数（Ｎ１）は、
第１のサブバンドに、連続した第１のセットの周波数リソース（Ｒ１）、及び
第２のサブバンドに、対応する連続した第１のセットの周波数リソース（Ｒ１'）
を割り当てるために使用され、
前記第１のサブバンド及び前記第２のサブバンドは、重複せず、等しい数の周波数リソースを含む、トランシーバ（３０２）と、
前記リソースインジケータ（１１０）に基づいて、前記第１の開始インデックス（Ｉ１）及び周波数リソースの前記第１の数（Ｎ１）を導出するように構成されるプロセッサ（３０４）と
を備え、
前記トランシーバ（３０２）は、
前記連続した第１のセットの周波数リソース（Ｒ１）及び前記対応する連続した第１のセットの周波数リソース（Ｒ１'）を用いてデータシンボルを前記ネットワークノード（１００）に送信するように構成される、
ユーザデバイス（３００）。
【請求項９】
前記リソースインジケータ（１１０）は、
前記第１のサブバンドに、連続した第２のセットの周波数リソース（Ｒ２）、及び
前記第２のサブバンドに、対応する連続した第２のセットの周波数リソース（Ｒ２'）
を割り当てるために用いられる第２の開始インデックス（Ｉ１）及び周波数リソースの第２の数（Ｎ２）
を更に含み、
前記プロセッサ（３０４）は、
前記リソースインジケータ（１１０）に基づいて前記第２の開始インデックス（Ｉ２）及び周波数リソースの前記第２の数（Ｎ２）を導出する
ように構成され、
前記トランシーバ（３０２）は、
前記連続した第２のセットの周波数リソース（Ｒ２）及び前記対応する連続した第２のセットの周波数リソース（Ｒ２'）を用いてデータシンボルを前記ネットワークノード（１００）に送信する
ように構成される、
請求項８に記載のユーザデバイス（３００）。
【請求項１０】
前記連続した第１のセットの周波数リソース（Ｒ１）は、前記第１のサブバンドの第１のサブ領域内に、及び前記第２のサブバンドの対応する第１のサブ領域内に割り当てられ、前記連続した第２のセットの周波数リソースは、前記第１のサブバンドの第２のサブ領域内に、及び前記第２のサブバンドの対応する第２のサブ領域内に割り当てられ、
前記第１のサブ領域及び前記第２のサブ領域は、重複せず、等しい数の周波数リソースを含む、
請求項９に記載のユーザデバイス（３００）。
【請求項１１】
前記リソースインジケータ（１１０）は、第１の割り当て値及び第２の割り当て値として表され、
前記第１の割り当て値は、前記第１の開始インデックス（Ｉ１）及び周波数リソースの前記第１の数（Ｎ１）、又は、前記第１のサブ領域及び前記対応する第１のサブ領域内の周波数リソースの空のセットを示し、
前記第２の割り当て値は、前記第２の開始インデックス（Ｉ２）及び周波数リソースの前記第２の数（Ｎ２）、又は、前記第２のサブ領域及び前記対応する第２のサブ領域内の周波数リソースの空のセットを示し、
前記プロセッサ（３０４）は、
前記第１の割り当て値に基づいて、前記第１の開始インデックス（Ｉ１）及び周波数リソースの前記第１の数（Ｎ１）を導出し、
前記第２の割り当て値に基づいて、前記第２の開始インデックス（Ｉ２）及び周波数リソースの前記第２の数（Ｎ２）を導出する
ように構成され、
前記トランシーバ（３０２）は、
前記連続した第１のセットの周波数リソース（Ｒ１）及び前記対応する連続した第１のセットの周波数リソース（Ｒ１'）を用いてデータシンボルを前記ネットワークノード（１００）に送信し、
前記連続した第２のセットの周波数リソース（Ｒ２）及び前記対応する連続した第２のセットの周波数リソース（Ｒ２'）を用いて、データシンボルを前記ネットワークノード（１００）に送信する、
ように構成される、
請求項１０に記載のユーザデバイス（３００）。
【請求項１２】
前記リソースインジケータ（１１０）は、単一の割り当て値として表され、
前記プロセッサ（３０４）は、
前記単一の割り当て値に基づいて前記第１の開始インデックス（Ｉ１）及び周波数リソースの前記第１の数（Ｎ１）並びに前記第２の開始インデックス（Ｉ２）及び周波数リソースの前記第２の数（Ｎ２）のうちの少なくとも１つを導出する
ように構成される、
請求項１０又は１１に記載のユーザデバイス（３００）。
【請求項１３】
第１の開始インデックス（Ｉ１）及び周波数リソースの第１の数（Ｎ１）を含むリソースインジケータ（１１０）を決定する段階（２０２）であって、前記第１の開始インデックス（Ｉ１）及び周波数リソースの前記第１の数（Ｎ１）は、
第１のサブバンドに、連続した第１のセットの周波数リソース（Ｒ１）、及び
第２のサブバンドに、対応する連続した第１のセットの周波数リソース（Ｒ１'）
を割り当てるために使用され、
前記第１のサブバンド及び前記第２のサブバンドは、重複せず、等しい数の周波数リソースを含む、決定する段階（２０２）と、
前記リソースインジケータ（１１０）を含む送信グラント（１２０）を、ユーザデバイス（３００）に送信する段階（２０４）と
を備える方法（２００）。
【請求項１４】
ネットワークノード（１００）からリソースインジケータ（１１０）を含む送信グラント（１２０）を受信する段階（４０２）であって、前記リソースインジケータ（１１０）は、第１の開始インデックス（Ｉ１）及び周波数リソースの第１の数（Ｎ１）を備え、前記第１の開始インデックス（Ｉ１）及び周波数リソースの前記第１の数（Ｎ１）は、
第１のサブバンドに、連続した第１のセットの周波数リソース（Ｒ１）、及び
第２のサブバンドに、対応する連続した第１のセットの周波数リソース（Ｒ１'）
を割り当てるために使用され、
前記第１のサブバンド及び前記第２のサブバンドは、重複せず、等しい数の周波数リソースを含む、受信する段階（４０２）と、
前記リソースインジケータ（１１０）に基づいて、前記第１の開始インデックス（Ｉ１）及び周波数リソースの前記第１の数（Ｎ１）を導出する段階（４０４）と、
前記連続した第１のセットの周波数リソース（Ｒ１）、及び前記対応する連続した第１のセットの周波数リソース（Ｒ１'）を用いてデータシンボルを前記ネットワークノード（１００）に送信する段階（４０６）と
を備える
方法（４００）。
【請求項１５】
コンピュータプログラムであって、前記コンピュータプログラムがコンピュータ上で動作する場合に、請求項１３又は１４に記載の方法を実行するためのプログラムコードを含むコンピュータプログラム。
【発明の詳細な説明】
【技術分野】
【０００１】
本発明は、無線通信システムのためのネットワークノード及びユーザデバイスに関する。更に、本発明は、対応する方法、無線通信システム、コンピュータプログラム、及びコンピュータプログラム製品にも関する。
【背景技術】
【０００２】
ロングタームエボリューション（ＬＴＥ）アップリンクにおいて、シングルキャリア周波数分割多元接続（ＳＣ‐ＦＤＭＡ）波形が、使用され、物理アップリンク共有チャネル（ＰＵＳＣＨ）の時間−周波数リソースは、周波数リソースの単一又はデュアルクラスタによって割り当てられ得、ここで、各クラスタ（即ち、周波数リソースのセット）は、スロット内の周波数において局在化され、複数の周波数‐連続物理リソースブロック（ＰＲＢ）からなる。単一の離散フーリエ変換（ＤＦＴ）プリコーダが、１個又は２個のクラスタに対して適用される。従って、単一のクラスタが、最も低いキュービックメトリック（ＣＭ）及びピーク対平均電力比（ＰＡＰＲ）性能を実現する一方、デュアルクラスタ割り当てが、たとえ潜在的により大きいＣＭ／ＰＡＰＲでも、スケジューラのための僅かにより多くの自由度を提供する。動的ＰＵＳＣＨリソース割り当ては、ダウンリンク制御チャネルにおいて送信される関連付けられたアップリンクグラント内のリソース割り当てフィールドによって伝えられ、ＰＵＳＣＨリソース割り当てタイプ０は、単一クラスタＰＵＳＣＨのために使用され、ＰＵＳＣＨリソース割り当てタイプ１は、デュアルクラスタＰＵＳＣＨのためである。
【０００３】
また、ＬＴＥ  Ｒｅｌ‐１３が、アンライセンス周波数域におけるダウンリンク送信のために配備され得、即ち、ライセンス補助アクセス（ＬＡＡ）を利用して、ここで、アンライセンスキャリアは、ライセンス周波数域内に位置するプライマリセル（ＰＣｅｌｌ）と共にセカンダリセル（ＳＣｅｌｌ）として操作される。アップリンク（ＵＬ）送信を含むことにより、ＬＡＡの機能を拡張することが望ましい。特に、ＬＴＥは、アップリンクスケジューリングを実行するべくＥ‐ＵＴＲＡＮノードＢ又は発展型ノードＢ（ｅＮｏｄｅＢ）に依存し、これは、セルにおける複数のユーザ機器（ＵＥ）が、サブフレーム内の直交リソース上でＰＵＳＣＨを送信することを可能にする。即ち、ＬＴＥは、多くのＷｉＦｉシステムのケースのように、一度に１人のユーザのための広帯域スケジューリングに制約されず、ＵＥのためのチャネルの周波数選択性をスケジューリング利得に活用し得る。スケジューラはまた、セル内の同じ時間−周波数リソース上でＵＥをスケジューリングし、受信機においてＵＥを分離するために空間抑制を利用し得、即ち、マルチユーザＭＩＭＯ（ＭＵ−ＭＩＭＯ）である。
【０００４】
ＬＡＡに関して、第１の規制要件は、占有チャネル帯域幅が、宣言された公称チャネル帯域幅の８０％と１００％との間であることである。占有チャネル帯域幅は、信号の電力の９９％を含む帯域幅である。この要件は、単一のＵＥのみがキャリア帯域幅の８０％〜１００％を占め得ることを要求しない。例えば、占有チャネル帯域幅要件を満たしながら、インタリーブされた周波数分割多重方式（ＦＤＭ）割り当てを使用して、キャリア帯域幅全体にわたってＵＬサブフレーム内のいくつかのＵＥからのＰＵＳＣＨを多重化することが可能である。さらに、第２の規制要件は、狭帯域における送信電力である。例えば、周波数帯域５２５０ＭＨｚ〜５３５０ＭＨｚにおいて、送信のための電力スペクトル密度は、任意の１ＭＨｚ帯域における１０ｍＷ／ＭＨｚの最大平均等価等方輻射電力（ＥＩＲＰ）密度に限定されるものとする。これは、送信電力を限定しないために、可能な限り多くの「１ＭＨｚ」帯域にリソースを割り当てることが有益であることを示唆する。
【０００５】
原理的には、ＰＵＳＣＨリソース割り当てにおいて大きな単一クラスタを使用することは、チャネル帯域幅占有要件が、ＵＥのために満たされ、並びに、最大平均ＥＩＲＰが、超過されないことを保証し得る。しかしながら、これは、非効率なシステム動作をもたらす、なぜなら、それが、一度に１つのＵＥのみがスケジューリングされ得ること、又は、大量の連続したリソースが、割り当てられなければならないので、コードレートが、非常に低くなることのいずれかを示唆し得るからである。ＰＵＳＣＨのＵＥ多重化を効率的にサポートするべく、マルチクラスタ（＞２）割り当てを可能にする現在の単一及びデュアルクラスタ割り当てを拡張すること（例えば、ＰＲＢ／サブキャリアが、周波数において均一に間隔をあけられている）が、規制要件を満たす候補波形として識別されている。更に、効率的なリソース割り当て方式は、ＵＥが、異なる量のリソース、例えば、異なる数のＰＲＢを割り当てられることを可能にすべきである。同時に、ダウンリンク制御チャネル上のオーバヘッドを低減するべく、リソース割り当て情報が、数ビットでＵＥにシグナリングされ得ることが重要である。従って、ＬＡＡのためのＰＵＳＣＨ送信のためのマルチクラスタ割り当て、及び割り当て情報の対応する符号化を定義することは、未解決の問題である。
【０００６】
ＬＴＥにおいて、開始リソースインデックス、即ち、ＰＲＢインデックス、及び割り当てられたリソースの数、即ち、ＰＲＢの数は、ＵＥにシグナリングされる単一の整数値によって表される。ＰＵＳＣＨリソース割り当てタイプ０、即ち、単一クラスタＰＵＳＣＨは、リソースインデックス、開始ＰＲＢインデックス、及び割り当てられたＰＲＢの数を介した符号化を備える。ＰＵＳＣＨリソース割り当てタイプ１、即ち、デュアルクラスタＰＵＳＣＨは、リソースインデックス、４つのＲＢＧインデックスを介した符号化を備え、ここで、最初の２つのＲＢＧインデックスは、１個のクラスタの開始ＲＢＧインデックス及び終了ＲＢＧインデックスのために使用され、最後の２つのＲＢＧインデックスは、同じやり方で他のクラスタのために使用される。これらの方法は、マルチクラスタＰＵＳＣＨをサポートできない、なぜなら、現在のＰＵＳＣＨリソース割り当ては、２つまでのクラスタをサポートするのみであるからである。更に、割り当てられたリソースブロックの数、Ｎ＿ＰＲＢ、は、
【数１】
2019512180.tif 000003
によって制約され、ここで、α２、α３、α５は、負でない整数であり、
【数２】
2019512180.tif 000004
は、利用可能なＰＲＢの数である。
【０００７】
１つの従来の解決手段において、マルチクラスタＰＵＳＣＨは、クラスタ当たり１個のＰＲＢを有する１０個のクラスタを使用して示され、１．８ＭＨｚのクラスタ間間隔（１０個のＰＲＢ）、即ち、第１０のＰＲＢごとに割り当てられる。従って、１０個の異なるＰＲＢ割り当てがあり、各々は、１０個のＰＲＢを含む。ＵＥは、これらのＰＲＢ割り当てを１個から１０個まで割り当てられてよく、合計で１０個から１００個のＰＲＢをもたらす。どのリソース割り当てが使用されるかの正確な割り当ては、例えば、ＵＬグラントにおける１０ビットのビットマップを介してシグナリングすることにより、ｅＮＢに委ねられる。従って、シグナリングオーバヘッドは、１０ビットであり、マルチクラスタＰＵＳＣＨを示す。
【発明の概要】
【０００８】
本発明の実施形態の目的は、従来の解決手段の欠点及び問題を軽減又は解決する解決手段を提供することである。
【０００９】
上述の及び更なる目的が、独立請求項の主題によって実現される。更に、本発明の有利な実装形式が、従属請求項において定義される。
【００１０】
本発明の第１の態様によれば、上述の目的及び他の目的は、無線通信システムのためのネットワークノードによって実現される。ネットワークノードは、
第１の開始インデックス及び周波数リソースの第１の数を含むリソースインジケータを決定するように構成されるプロセッサであって、第１の開始インデックス及び周波数リソースの第１の数は、
第１のサブバンドに、連続した第１のセットの周波数リソース、及び
第２のサブバンドに、対応する連続した第１のセットの周波数リソース
を割り当てるために使用され、
第１のサブバンド及び第２のサブバンドは、重複せず、等しい数の周波数リソースを含む、プロセッサと、
リソースインジケータを含む送信グラントを、ユーザデバイスに送信するように構成される、トランシーバと、
を備える。
【００１１】
第１の開始インデックスとは、ＰＲＢ又は無線通信システムの任意の他の無線リソースユニットのインデックスを指し得る。
【００１２】
連続した周波数リソースのセットとは、連続したＰＲＢ又は無線通信システムの任意の他の無線リソースユニットのセットを指し得る。
【００１３】
対応する第１のセットとは、結果として得られるリソース割り当てが、第１のサブバンド内及び第２のサブバンド内で同じであることを指し得る。セットが、異なるリソースインデックス（例えば、ＰＲＢが、両方のサブバンドにわたって列挙された場合、異なるＰＲＢインデックス）を含んでよいが、結果として得られるリソース割り当てが、両方のサブバンドにおいて同じになることに留意すべきである。
【００１４】
第１の態様に係るネットワークノードが、従来のネットワークノードに対して、複数の利点を提供する。リソース割り当てを示すためのビットの数は、従来の解決手段と比較して低減され得、これは、（ダウンリンク）制御チャネルにおけるより少ないオーバヘッド、及びリソース割り当て情報を含む（ダウンリンク）制御チャネルのより良好な検出性能をもたらす。
【００１５】
第１の態様に係るネットワークノードの第１の可能な実装形式において、トランシーバは、
ユーザデバイスと関連付けられた基準信号と、
ユーザデバイスの送信バッファにおけるビットの総数と、
ユーザデバイスで利用可能な送信電力と
のうちの少なくとも１つを含むユーザデバイス情報を受信する
ように構成され、
プロセッサは、
受信されたユーザデバイス情報に基づいてリソースインジケータを決定する
ように構成される。
【００１６】
この実装形式は、有利である、なぜなら、それが、チャネル品質、必要とされるペイロード、及び利用可能な送信電力、又はそれらの組み合わせの何れかに一致する割り当てを選択することにより、リソースインジケータを決定することを可能にするからである。従って、ネットワークノードは、送信のための実際の制約を考慮すると、最も効率的なリソース割り当てを選択し得る。
【００１７】
第１の態様の第１の実装形式又は第１の態様自体に係るネットワークノードの第２の可能な実装形式において、全てのサブバンドの割り当てられた周波数リソースの総数が、予め定められた値のセットに属する場合、無線通信システムは、
同じ周波数リソース割り当てを有する複数の重複しないサブバンド、又は
第１のサブバンド又は第２のサブバンドにおける周波数リソース割り当てとは異なる周波数リソース割り当てを有する少なくとも１つの第３のサブバンド
を備える。
【００１８】
この実装形式は、有利である、なぜなら、割り当てられたリソースの総数に対する制約が、常に満たされることを保証し得るからである。
【００１９】
第１の態様の第１の又は第２の実装形式又は第１の態様自体に係るネットワークノードの第３の可能な実装形式において、リソースインジケータは、
第１のサブバンドに、連続した第２のセットの周波数リソース、及び
第２のサブバンドに、対応する連続した第２のセットの周波数リソース
を割り当てるために用いられる第２の開始インデックス及び周波数リソースの第２の数
を更に備える。
【００２０】
この実装形式は、有利である、なぜなら、それが、デュアルセットリソース割り当てが許可されることにより各サブバンド内の柔軟性を可能にし、これにより、より柔軟なリソース割り当て及びユーザデバイスの多重化をサポートするからである。リソース割り当ては、各サブバンドにおいて同じであることに留意されたい。
【００２１】
第１の態様の第３の実装形式に係るネットワークノードの第４の可能な実装形式において、連続した第１のセットの周波数リソースは、第１のサブバンドの第１のサブ領域内に、及び第２のサブバンドの対応する第１のサブ領域内に割り当てられ、連続した第２のセットの周波数リソースは、第１のサブバンドの第２のサブ領域内に、及び第２のサブバンドの対応する第２のサブ領域内に割り当てられ、
第１のサブ領域及び第２のサブ領域は、重複せず、等しい数の周波数リソースを含む。
【００２２】
この実装形式は、有利である、なぜなら、２個のセットが、サブバンド内でいくつかの１ＭＨｚ部分を占める割り当てを可能にし、これは、１ＭＨｚ毎に与えられた規制最大電力スペクトル密度要件を考慮して、最大送信電力を可能にするために有益である。
【００２３】
第１の態様の第４の実装形式に係るネットワークノードの第５の可能な実装形式において、プロセッサは、
リソースインジケータを第１の割り当て値及び第２の割り当て値として決定する
ように構成され、
第１の割り当て値は、第１の開始インデックス及び周波数リソースの第１の数、又は、第１のサブ領域及び対応する第１のサブ領域内の周波数リソースの空のセットのいずれかを示し、
第２の割り当て値は、第２の開始インデックス及び周波数リソースの第２の数、又は、第２のサブ領域及び対応する第２のサブ領域内の周波数リソースの空のセットのいずれかを示す。
【００２４】
この実装形式は、有利である、なぜなら、それが、動的な態様でサブバンド内の１個又は２個のクラスタのいずれかを割り当てる際の柔軟性を可能にするからである。
【００２５】
第１の態様の第１の実装形式又は第１の態様自体に係るネットワークノードの第６の可能な実装形式において、プロセッサは、
リソースインジケータを単一の割り当て値として決定する
ように構成される。
【００２６】
この実装形式は、有利である、なぜなら、オーバヘッドが、単一の割り当て値を使用することにより低減されるからである。
【００２７】
第１の態様の上述の実装形式の何れか、又は第１の態様自体に係るネットワークノードの第７の可能な実装形式において、リソースインジケータは、第１の開始インデックスと関連付けられた第１の終了インデックスを備える。リソースインジケータは、別の実装形式において、第２の開始インデックスと関連付けられた第２の終了インデックスを更に備えてよい。
【００２８】
この実装形式は、有利である、なぜなら、周波数リソースの数が、第１の開始インデックス及び関連付けられた第１の終了インデックスから直接導出され得るからである。
【００２９】
本発明の第２の態様によれば、上述の目的及び他の目的は、無線通信システムのためのユーザデバイスにより実現される。ユーザデバイスは、
ネットワークノードからリソースインジケータを含む送信グラントを受信するように構成されるトランシーバであって、リソースインジケータは、第１の開始インデックス及び周波数リソースの第１の数を含み、第１の開始インデックス及び周波数リソースの第１の数は、
第１のサブバンドに、連続した第１のセットの周波数リソース、及び
第２のサブバンドに、対応する連続した第１のセットの周波数リソース
を割り当てるために使用され、
第１のサブバンド及び第２のサブバンドは、重複せず、等しい数の周波数リソースを含む、トランシーバと、
リソースインジケータに基づいて、第１の開始インデックス及び周波数リソースの第１の数を導出するように構成されるプロセッサと
を備え、
トランシーバは、
連続した第１のセットの周波数リソース、及び対応する連続した第１のセットの周波数リソースを用いてデータシンボルをネットワークノードに送信するように構成される。
【００３０】
第２の態様に係るユーザデバイスが、従来のユーザデバイスに対して、複数の利点を提供する。リソース割り当てについての情報を含む（ダウンリンク）制御チャネル内のビットの数は、従来の方法におけるよりも小さくなり得る。これは、より低いコードレートに起因して、送信グラントの受信をより信頼性の高いものにし、ユーザデバイスが、割り当ての検出を見逃すリスクを低減する。検出を見逃すとは、ユーザデバイスが、データを全く送信しないこと、又は、それが割り当てられていないリソース上にデータを送信することを示唆し得、これは、システム性能にとって有害である。
【００３１】
第２の態様に係るユーザデバイスの第１の可能な実装形式において、リソースインジケータは、
第１のサブバンドに、連続した第２のセットの周波数リソース、及び
第２のサブバンドに、対応する連続した第２のセットの周波数リソース
を割り当てるために用いられる第２の開始インデックス及び周波数リソースの第２の数
を更に含み、
プロセッサは、
リソースインジケータに基づいて第２の開始インデックス及び周波数リソースの第２の数を導出する
ように構成され、
トランシーバは、
連続した第２のセットの周波数リソース及び対応する連続した第２のセットの周波数リソースを用いて、データシンボルをネットワークノードに送信する
ように構成される。
【００３２】
この実装形式は、有利である、なぜなら、２個のセットが、サブバンド内でいくつかの１ＭＨｚ部分を占める割り当てを可能にし、これは、１ＭＨｚ毎に与えられた規制最大電力スペクトル密度要件を考慮して、ユーザデバイスが、最大送信電力を使用することを可能にするために有益である。
【００３３】
第２の態様の第１の実装形式に係るユーザデバイスの第２の可能な実装形式において、連続した第１のセットの周波数リソースは、第１のサブバンドの第１のサブ領域内に、及び第２のサブバンドの対応する第１のサブ領域内に割り当てられ、連続した第２のセットの周波数リソースは、第１のサブバンドの第２のサブ領域内に、及び第２のサブバンドの対応する第２のサブ領域内に割り当てられ、
第１のサブ領域及び第２のサブ領域は、重複せず、等しい数の周波数リソースを含む。
【００３４】
この実装形式は、有利である、なぜなら、それが、サブバンド内の１個又は２個のセットを送信する際の柔軟性を可能にするからである。
【００３５】
第２の態様の第２の実装形式に係るユーザデバイスの第３の可能な実装形式において、リソースインジケータは、第１の割り当て値及び第２の割り当て値として表され、
第１の割り当て値は、第１の開始インデックス及び周波数リソースの第１の数、又は、第１のサブ領域及び対応する第１のサブ領域内の周波数リソースの空のセットを示し、
第２の割り当て値は、第２の開始インデックス及び周波数リソースの第２の数、又は、第２のサブ領域及び対応する第２のサブ領域内の周波数リソースの空のセットを示し、
プロセッサは、
第１の割り当て値に基づいて、第１の開始インデックス及び周波数リソースの第１の数を導出し、
第２の割り当て値に基づいて、第２の開始インデックス及び周波数リソースの第２の数を導出する
ように構成され、
トランシーバは、
連続した第１のセットの周波数リソース及び対応する連続した第１のセットの周波数リソースを用いて、データシンボルをネットワークノードに送信し、
連続した第２のセットの周波数リソース及び対応する連続した第２のセットの周波数リソースを用いて、データシンボルをネットワークノードに送信する、
ように構成される。
【００３６】
この実装形式は、有利である、なぜなら、２個のセットが、サブバンド内でいくつかの１ＭＨｚ部分を占める割り当てを可能にし、これは、１ＭＨｚ毎に与えられた規制最大電力スペクトル密度要件を考慮して、最大送信電力を可能にするために有益である。
【００３７】
第２の態様の第１の実装形式又は第２の態様自体に係るユーザデバイスの第４の可能な実装形式において、リソースインジケータは、単一の割り当て値として表され、
プロセッサは、
単一の割り当て値に基づいて第１の開始インデックス及び周波数リソースの第１の数並びに第２の開始インデックス及び周波数リソースの第２の数のうちの少なくとも１つを導出するように構成される。
【００３８】
この実装形式は、有利である、なぜなら、単一の割り当て値が、数ビットで表され得、これにより、システム内のオーバヘッドを低減するからである。
【００３９】
第２の態様の上述の実装形式の何れか、又は第２の態様自体に係るユーザデバイスの第５の可能な実装形式において、送信グラントは、第１の開始インデックスと関連付けられた第１の終了インデックスを示し、
プロセッサは、
第１の開始インデックス及び第１の終了インデックスに基づいて周波数リソースの第１の数を導出する
ように構成される。
【００４０】
リソースインジケータは、別の実装形式において、第２の開始インデックスと関連付けられた第２の終了インデックスを更に備えてよい。
【００４１】
この実装形式は、有利である、なぜなら、周波数リソースの数が、第１の開始インデックス及び関連付けられた第１の終了インデックスから直接導出され得るからである。
【００４２】
本発明の第３の態様によれば、上述の目的及び他の目的は、
第１の開始インデックス及び周波数リソースの第１の数を含むリソースインジケータを決定する段階であって、第１の開始インデックス及び周波数リソースの第１の数は、
第１のサブバンドに、連続した第１のセットの周波数リソース、及び
第２のサブバンドに、対応する連続した第１のセットの周波数リソース
を割り当てるために使用され、
第１のサブバンド及び第２のサブバンドは、重複せず、等しい数の周波数リソースを含む、決定する段階と、
リソースインジケータを含む送信グラントを、ユーザデバイスに送信する段階と
を備える方法によって実現される。
【００４３】
第３の態様に係る方法の第１の可能な実装形式において、方法は、
ユーザデバイスと関連付けられた基準信号と、ユーザデバイスの送信バッファにおけるビットの総数と、ユーザデバイスで利用可能な送信電力とのうちの少なくとも１つを含むユーザデバイス情報を受信する段階
を備え、
プロセッサは、
受信されたユーザデバイス情報に基づいてリソースインジケータを決定する
ように構成される。
【００４４】
第３の態様の第１の実装形式又は第３の態様自体に係る方法の第２の可能な実装形式において、全てのサブバンドの割り当てられた周波数リソースの総数が、予め定められた値のセットに属する場合、無線通信システムは、
同じ周波数リソース割り当てを有する複数の重複しないサブバンド、又は
第１のサブバンド又は第２のサブバンドにおける周波数リソース割り当てとは異なる周波数リソース割り当てを有する少なくとも１つの第３のサブバンド
を備える。
【００４５】
第３の態様の第１の又は第２の実装形式又は第３の態様自体に係る方法の第３の可能な実装形式において、リソースインジケータは、
第１のサブバンドに、連続した第２のセットの周波数リソース、及び
第２のサブバンドに、対応する連続した第２のセットの周波数リソース
を割り当てるために用いられる第２の開始インデックス及び周波数リソースの第２の数
を更に備える。
【００４６】
第３の態様の第３の実装形式に係る方法の第４の可能な実装形式において、連続した第１のセットの周波数リソースは、第１のサブバンドの第１のサブ領域内に、及び第２のサブバンドの対応する第１のサブ領域内に割り当てられ、連続した第２のセットの周波数リソースは、第１のサブバンドの第２のサブ領域内に、及び第２のサブバンドの対応する第２のサブ領域内に割り当てられ、
第１のサブ領域及び第２のサブ領域は、重複せず、等しい数の周波数リソースを含む。
【００４７】
第３の態様の第４の実装形式に係る方法の第５の可能な実装形式において、方法は、
リソースインジケータを第１の割り当て値及び第２の割り当て値として決定する段階を備え、
第１の割り当て値は、第１の開始インデックス及び周波数リソースの第１の数、又は、第１のサブ領域及び対応する第１のサブ領域内の周波数リソースの空のセットのいずれかを示し、
第２の割り当て値は、第２の開始インデックス及び周波数リソースの第２の数、又は、第２のサブ領域及び対応する第２のサブ領域内の周波数リソースの空のセットのいずれかを示す。
【００４８】
第３の態様の第１の実装形式又は第３の態様自体に係る方法の第６の可能な実装形式において、方法は、
リソースインジケータを単一の割り当て値として決定する段階を備える。
【００４９】
第３の態様の上述の実装形式の何れか、又は第３の態様自体に係る方法の第７の可能な実装形式において、リソースインジケータは、第１の開始インデックスと関連付けられた第１の終了インデックスを備える。
【００５０】
本発明の第４の態様によれば、上述の目的及び他の目的は、
ネットワークノードからリソースインジケータを含む送信グラントを受信する段階であって、リソースインジケータは、第１の開始インデックス及び周波数リソースの第１の数を含み、第１の開始インデックス及び周波数リソースの第１の数は、
第１のサブバンドに、連続した第１のセットの周波数リソース、及び
第２のサブバンドに、対応する連続した第１のセットの周波数リソース
を割り当てるために使用され、
第１のサブバンド及び第２のサブバンドは、重複せず、等しい数の周波数リソースを含む、受信する段階と、
リソースインジケータに基づいて、第１の開始インデックス及び周波数リソースの第１の数を導出する段階と、
連続した第１のセットの周波数リソース、及び対応する連続した第１のセットの周波数リソースを用いてデータシンボルをネットワークノードに送信する段階と
を備える
方法によって実現される。
【００５１】
第２の態様に係る方法の第１の可能な実装形式において、リソースインジケータは、
第１のサブバンドに、連続した第２のセットの周波数リソース、及び
第２のサブバンドに、対応する連続した第２のセットの周波数リソース
を割り当てるために用いられる第２の開始インデックス及び周波数リソースの第２の数
を更に含み、
プロセッサは、
リソースインジケータに基づいて第２の開始インデックス及び周波数リソースの第２の数を導出する
ように構成され、
トランシーバは、
連続した第２のセットの周波数リソース）及び対応する連続した第２のセットの周波数リソースを用いて、データシンボルをネットワークノードに送信する
ように構成される。
【００５２】
第４の態様の第１の実装形式に係る方法の第２の可能な実装形式において、連続した第１のセットの周波数リソースは、第１のサブバンドの第１のサブ領域内に、及び第２のサブバンドの対応する第１のサブ領域内に割り当てられ、連続した第２のセットの周波数リソースは、第１のサブバンドの第２のサブ領域内に、及び第２のサブバンドの対応する第２のサブ領域内に割り当てられ、
第１のサブ領域及び第２のサブ領域は、重複せず、等しい数の周波数リソースを含む。
【００５３】
第４の態様の第２の実装形式に係る方法の第３の可能な実装形式において、リソースインジケータは、第１の割り当て値及び第２の割り当て値として表され、
第１の割り当て値は、第１の開始インデックス及び周波数リソースの第１の数、又は、第１のサブ領域及び対応する第１のサブ領域内の周波数リソースの空のセットを示し、
第２の割り当て値は、第２の開始インデックス及び周波数リソースの第２の数、又は、第２のサブ領域及び対応する第２のサブ領域内の周波数リソースの空のセットを示し、
方法は、
第１の割り当て値に基づいて、第１の開始インデックス及び周波数リソースの第１の数を導出する段階と、
第２の割り当て値に基づいて、第２の開始インデックス及び周波数リソースの第２の数を導出する段階と、
連続した第１のセットの周波数リソース及び対応する連続した第１のセットの周波数リソースを用いて、データシンボルをネットワークノードに送信する段階と、
連続した第２のセットの周波数リソース及び対応する連続した第２のセットの周波数リソースを用いて、データシンボルをネットワークノードに送信する段階と
を備える。
【００５４】
第４の態様の第１の実装形式又は第４の態様自体に係る方法の第４の可能な実装形式において、リソースインジケータは、単一の割り当て値として表され、
方法は、
単一の割り当て値に基づいて第１の開始インデックス及び周波数リソースの第１の数並びに第２の開始インデックス及び周波数リソースの第２の数のうちの少なくとも１つを導出する段階を備える。
【００５５】
第４の態様の上述の実装形式の何れか、又は第４の態様自体に係る方法の第５の可能な実装形式において、送信グラントは、第１の開始インデックスと関連付けられた第１の終了インデックスを示し、
方法は、
第１の開始インデックス（Ｉ１）及び第１の終了インデックスに基づいて周波数リソースの第１の数（Ｎ１）を導出する段階を備える。
【００５６】
第３及び第４の態様に係る方法の利点は、第１及び第２の態様に係る対応するネットワークノード及びユーザデバイスのものと同じである。
【００５７】
本発明の実施形態は、コード手段を特徴とするコンピュータプログラムにさらに関する。コード手段は、処理手段によって実行された場合に、本発明に係るあらゆる方法を、当該処理手段に実行させる。更に、本発明は、コンピュータ可読媒体及び上述のコンピュータプログラムを備えるコンピュータプログラム製品にも関連し、当該コンピュータプログラムは、コンピュータ可読媒体に含まれ、ＲＯＭ（リードオンリメモリ）、ＰＲＯＭ（プログラマブルＲＯＭ）、ＥＰＲＯＭ（消去可能ＰＲＯＭ）、フラッシュメモリ、ＥＥＰＲＯＭ（電気的ＥＰＲＯＭ）、及びハードディスクドライブのグループからの１又は複数を含む。
【００５８】
更に、本発明の実施形態の適用及び利点が、以下の詳細な説明から明らかとなろう。
【図面の簡単な説明】
【００５９】
添付図面は、異なる本発明の実施形態を明確化及び説明することを意図するものである。
【図１】本発明の実施形態に係るネットワークノードを示す。
【図２】本発明の実施形態に係る対応する方法を示す。
【図３】本発明の実施形態に係るユーザデバイスを示す。
【図４】本発明の実施形態に係る対応する方法を示す。
【図５】マルチキャリア波形のための時間−周波数リソースを示す。
【図６】異なるリソースインジケータを示す。
【図７】本発明の実施形態を示す。
【図８】本発明の実施形態のシグナリング態様を示す。
【図９】本発明の更なる実施形態を示す。
【図１０】本発明の更なる実施形態を示す。
【図１１】本発明の実施形態に係る無線通信システムを示す。
【発明を実施するための形態】
【００６０】
図１は、本発明の実施形態に係るネットワークノード１００を示す。ネットワークノード１００は、トランシーバ１０４に通信可能に結合されたプロセッサ１０２を備える。更に、任意選択のアンテナ１０６が、図１に示されている。アンテナ１０６は、トランシーバ１０４に結合され、無線通信システム５００において無線通信信号を送信及び／又は受信するように構成される。
【００６１】
ネットワークノード１００のプロセッサ１０２は、第１の開始インデックスＩ１及び周波数リソースの第１の数Ｎ１を含むリソースインジケータ１１０を決定するように構成される。第１の開始インデックスＩ１及び周波数リソースの第１の数Ｎ１は、第１のサブバンドに、連続した第１のセットの周波数リソースのＲ１を割り当てるために使用され、更に、第２のサブバンドに、対応する連続した第１のセットの周波数リソースＲ１'を割り当てるために使用される。第１のサブバンド及び第２のサブバンドは、重複せず、等しい数の周波数リソースを含む。トランシーバ１０４は、リソースインジケータ１１０を含む送信グラント１２０を、ユーザデバイス３００（図１には示されていない、図３を参照されたい）に送信するように構成される。周波数リソースの第１のセットは、更なるサブバンドに割り当てられ得ることに留意されたい。
【００６２】
本開示において、ネットワークノード１００は、ネットワーク制御ノード、又はネットワークアクセスノード又はアクセスポイント又は基地局、例えば、無線基地局（ＲＢＳ）を指してよい。これは、いくつかのネットワークにおいて、利用される技術及び用語に応じて、送信機、「ｅＮＢ」、「ｅＮｏｄｅＢ」、「ＮｏｄｅＢ」又は「Ｂノード」と称されてよい。ネットワークノードは、送信電力、及びそれによるセルサイズにも基づいて、例えば、マクロｅＮｏｄｅＢ、ホームｅＮｏｄｅＢ又はピコ基地局のような異なるクラスであってよい。ネットワークノードは、８０２．１１アクセスポイント、又はステーション（ＳＴＡ）であってよく、これは、ＩＥＥＥ８０２．１１に準拠した、無線媒体（ＷＭ）へのメディアアクセス制御（ＭＡＣ）及び物理層（ＰＨＹ）インタフェースを含む任意のデバイスである。しかしながら、ネットワークノード１００は、上述の通信デバイスに限定されない。
【００６３】
図２は、図１で説明されたもののような、ネットワークノード１００において実行され得る対応する方法を示す。方法２００は、第１の開始インデックスＩ１及び周波数リソースの第１の数Ｎ１を含むリソースインジケータ１１０を決定する段階２０２を備える。第１の開始インデックスＩ１及び周波数リソースの第１の数Ｎ１は、第１のサブバンドに、連続した第１のセットの周波数リソースＲ１を割り当てるために用いられ、更に、第２のサブバンドに、対応する連続した第１のセットの周波数リソースＲ１'を割り当てるために使用される。第１のサブバンド及び第２のサブバンドは、重複せず、等しい数の周波数リソースを含む。方法２００は、リソースインジケータ１１０を含む送信グラント１２０を、ユーザデバイス３００に送信する段階２０４を更に備える。
【００６４】
第１の開始インデックスＩ１は、リソースの時間−周波数平面内の位置を示す。例えば、リソースは、ＰＲＢ（例えば、１８０ｋＨｚ及び０．５ｍｓ内に位置するリソース要素（ＲＥ）を含む）として示され得、ＰＲＢは、例えば、周波数の昇順でインデックス付けされ得る。
【００６５】
本開示において、「セット」及び「クラスタ」という表現は、交換可能に使用され得る。周波数リソースのセット又はクラスタは、１個又はいくつかの周波数が連続したリソース、例えば、１個又はいくつかのＲＥ／ＰＲＢを指し、クラスタは、連続して位置していてもよく、又はそうでなくてもよい。クラスタは、重複しない、即ち、それらは、共通のリソースを有しない。
【００６６】
対応する連続した第１のセットの周波数リソースＲ１'は、このセットを使用する割り当てが、リソース割り当てが、第１のサブバンド内の割り当てが第２のサブバンド内と同じであることを示唆することを意味する。例えば、Ｒ１が、第１のサブバンドにｘ番目のＰＲＢを含む場合、Ｒ１'は、第２のサブバンドにｘ番目のＰＲＢを含み、以下同様である。
【００６７】
本発明の一実施形態において、トランシーバ１０４は、ユーザデバイス３００と関連付けられたユーザデバイス情報１３０（図１１を参照されたい）を受信するように構成される。ユーザデバイス情報は、
‐ユーザデバイス３００と関連付けられた基準信号と、
‐標準バッファ状態報告としても知られているユーザデバイス３００の送信バッファ内のビットの総数と、
‐パワーヘッドルームとしても知られているユーザデバイス３００で利用可能な送信電力と
のうちの少なくとも１つを含む。
【００６８】
ユーザデバイス３００から送信された基準信号は、リソースの量及び割り当てられるリソースの最良の位置を決定するために有用であるチャネル品質をネットワークノード１００が推定することを可能にする。ネットワークノード１００はまた、ユーザデバイス３００が送信し得るデータの量についての情報を利用してよい。これは、実際の需要に一致するようにリソース割り当てのためのリソースの量を決定するのに有用である。ネットワークノード１００は、ユーザデバイス３００において利用可能な送信電力についての情報を更に利用してよい。これは、利用可能な送信電力内に収容され得るように、リソース割り当てのためのリソースの量を決定するのに有用である。
【００６９】
プロセッサ１０２は、受信されたユーザデバイス情報に基づいてリソースインジケータ１１０を決定するように構成される。ユーザデバイス情報は、ユーザデバイス３００から直接受信されてよい。しかしながら、ユーザデバイス情報の全て又は一部は、１又は複数の中間ネットワークノードを介して受信されてよい。
【００７０】
本発明の別の実施形態において、トランシーバ１０４は、ユーザデバイス３００への送信グラント１２０の送信に応答して、ユーザデバイス３００からデータを受信するように構成される。従って、ユーザデバイス３００は、ネットワークノード３００にデータを送信するために、割り当てられた連続した第１のセットの周波数リソースＲ１、及び対応する連続した第１のセットの周波数リソースＲ１'を用いるように構成される。
【００７１】
図３は、本発明の実施形態に係るユーザデバイス３００を示す。ユーザデバイス３００は、トランシーバ３０２に通信可能に結合されたプロセッサ３０４を備える。更に、任意選択のアンテナ３０６が、図３に示されている。アンテナ３０６は、トランシーバ３０２に結合され、無線通信システム５００において無線通信信号を送信及び／又は受信するように構成される。
【００７２】
図４は、図１で説明されたもののような、ユーザデバイスで実行され得る対応する方法を示す。方法４００は、ネットワークノード１００からリソースインジケータ１１０を含む送信グラント１２０を受信する段階４０２を備える。リソースインジケータ１１０は、第１の開始インデックスＩ１及び周波数リソースの第１の数Ｎ１を含む。第１の開始インデックスＩ１及び周波数リソースの第１の数Ｎ１は、第１のサブバンドに、連続した第１のセットの周波数リソースＲ１を割り当てるために用いられ、更に、第２のサブバンドに、対応する連続した第１のセットの周波数リソースＲ１'を割り当てるために使用される。第１のサブバンド及び第２のサブバンドは、重複せず、等しい数の周波数リソースを含む。方法４００は、リソースインジケータ１１０に基づいて、第１の開始インデックスＩ１及び周波数リソースの第１の数Ｎ１を導出する段階４０４を更に備える。方法４００は、連続した第１のセットの周波数リソースＲ１及び対応する連続した第１のセットの周波数リソースＲ１'を用いてデータシンボルをネットワークノード１００に送信する段階４０６を更に備える。
【００７３】
ユーザデバイス３００は、ユーザ機器（ＵＥ）、移動局（ＭＳ）、無線端末又はモバイル端末の何れかであってよく、無線通信システムにおいて無線通信を行うことが可能であり、時に、セルラ無線システムとも称される。ＵＥは、更に、モバイル電話、セルラ電話、コンピュータタブレット、又は無線機能を有するラップトップと称されてよい。本文脈におけるＵＥは、無線アクセスネットワークを介して、他の受信機又はサーバ等の他のエンティティと音声又はデータ通信を行うことが可能な、例えば、ポータブルデバイス、ポケット内収容可能デバイス、ハンドヘルドデバイス、コンピュータ搭載デバイス、又は車載モバイルデバイスであってよい。ＵＥは、ステーション（ＳＴＡ）であってよく、これは、ＩＥＥＥ８０２．１１に準拠した、無線媒体（ＷＭ）へのメディアアクセス制御（ＭＡＣ）及び物理層（ＰＨＹ）インタフェースを含む任意のデバイスである。
【００７４】
本発明の実施形態の考え方は、周波数リソース割り当てが、サブバンドレベルに基づき、ここで、無線通信システムの総送信帯域幅は、周波数ドメインにおいていくつかの等しいサブバンドに分割される、ということである。一実施形態において、周波数リソース割り当ては、送信帯域幅の全てのサブバンドにおいて同じである。ネットワークノード１００は、サブバンド内のユーザデバイス３００のための周波数リソース割り当てを示す。ユーザデバイス３００は、同じ周波数リソース割り当てを各サブバンドにおいて適用する。
【００７５】
図６は、リソースインジケータ１１０の異なる実施形態を示す。リソースインジケータ１１０は、第１の開始インデックスＩ１及び周波数リソースの第１の数Ｎ１を含む。第１の開始インデックスＩ１及び周波数リソースの第１の数Ｎ１は、表１に関して以下にさらに説明される単一の値Ｖとして表されてよい。
【００７６】
しかしながら、リソースインジケータ１１０は、実施形態において、第１のサブバンドに、連続した第２のセットの周波数リソースＲ２、及び第２のサブバンドに、対応する連続した第２のセットの周波数リソースＲ２'を割り当てるために用いられる、第２の開始インデックスＩ２及び周波数リソースの第２の数Ｎ２を含む。本実施形態によれば、第１の開始インデックスＩ１及び周波数リソースの第１の数Ｎ１は、第１の値Ｖ１で表されてよい。第２の開始インデックスＩ２及び周波数リソースの第２の数Ｎ２は、第２の値Ｖ２で表されてよい。
【００７７】
割り当てられたリソースの数は、明示的に示されてもよく、又は暗示的に示されてもよい。実施形態において、リソースインジケータ１１０は、第１の開始リソースインデックスと関連付けられた第１の終了リソースインデックスを含む。従って、第１のセットのための割り当てられたリソースの第１の数Ｎ１は、第１の終了リソースインデックスと第１の開始リソースインデックスとの間の差から導出され得る。この方法は、周波数リソースの第２の（又は更なる）数Ｎ２を示すためにも適用可能である。
【００７８】
１つの特定のケースにおいて、連続した第１のセットの周波数リソースＲ１は、第１のサブバンドの第１のサブ領域内に、及び第２のサブバンドの対応する第１のサブ領域内に割り当てられ、連続した第２のセットの周波数リソースＲ２'は、第１のサブバンドの第２のサブ領域内に、及び第２のサブバンドの対応する第２のサブ領域内に割り当てられる。第１のサブ領域及び第２のサブ領域は、重複せず、等しい数の周波数リソースを含む。従って、本実施形態は、各サブバンドを２又はそれより多くのサブ領域に分割することを想定する。
【００７９】
本発明の実施形態のより深い理解のために、本発明の異なる態様が、ＬＴＥシステムの文脈において説明される。従って、ＰＵＳＣＨ、アップリンクグラント、ＵＥ（本ユーザデバイス３００に対応する）等のような、ＬＴＥの用語及び表現が用いられる。しかしながら、本発明の実施形態は、当業者によって良く理解されている、そのようなＬＴＥシステムに限定されない。
【００８０】
時間−周波数リソースが、アップリンク共有データチャネルの送信のために割り当てられるマルチキャリア波形を考える。時間−周波数リソースの割り当ては、サブキャリアレベル、例えば、リソース要素（ＲＥ）、又はサブキャリアのグループ、例えば、ＰＲＢ又はリソースブロックグループ（ＲＢＧ）上であってよい。１個のＲＢＧは、いくつかのＰＲＢを含んでよく、ＲＢＧとＰＲＢとの間の詳細なマッピングは、３ＧＰＰ  ＴＳ  ３６．２１３において定義されるように送信帯域幅に関連している。図５は、ｌ＝０からインデックス付けされた、ＯＦＤＭシンボルを有する一般的なケースを示し、ここで、チャネル帯域幅（Ｂ＿１）は、キャリア上のアップリンク送信のために定義され、送信帯域幅（Ｂ＿２）は、キャリアのガードバンドを除外し、送信のために割り当てられ得る最大帯域幅（又はＰＲＢの最大数）を定義する。時間−周波数リソースは、０からＫ−１までインデックス付けされた、サブキャリアによって定義される。
【００８１】
例示的な実施形態において、以下の特性が保持される。
ｉ．無線通信システムの総送信帯域幅は、周波数ドメインにおいていくつかの等しいサブバンドに分割される。
ｉｉ．各サブバンドにおいて、ＵＥのＰＵＳＣＨのために割り当てられた周波数リソースの１個のセットがあり、ここで、各セットにおけるリソース要素は、連続的に割り当てられる。
ｉｉｉ．各サブバンドにおけるリソース割り当ては、同じである。
ｉｖ．リソース割り当ては、サブバンド内のセットに対して開始リソースインデックス及び割り当てられたリソースの数を表す単一の値によって示される。
【００８２】
本実施形態は、図７に示され、この中で、マルチクラスタ構造のためのリソース割り当ては、各サブバンドにおいて３個のＰＲＢ単一クラスタを有し、１個のサブバンドは、１０個のＰＲＢを含む。図７は、送信帯域幅の全てのサブバンドにおける周波数リソースの第１のクラスタ／セットＲ１及び周波数リソースの対応する第１のクラスタ／セットＲ１'の割り当てを示す。
【００８３】
本実施形態は以下の理由で有利である。
‐ＰＵＳＣＨリソース割り当ては、帯域幅全体ではなくサブバンドレベルにおいて示され、これは、シグナリングオーバヘッドを低減する。
‐スケジューリング柔軟性を向上させる可変数のＰＲＢ割り当てをサポートする。
‐非結合の連続したクラスタをＵＥに割り当てることにより、ＵＥの周波数分割多重方式をサポートする。
‐全てのサブバンドにおいて同じリソース割り当てが行われ、これは、ＰＵＳＣＨのパワーダイナミクス、例えば、ピーク対平均電力比（ＰＡＰＲ）又はキュービックメトリック（ＣＭ）を低減する。
【００８４】
単一の値を使用するそのような指標の一例が、以下の、それぞれ１０個のＰＲＢからなる１０個のサブバンドで構成される
【数３】
2019512180.tif 000005
のＰＲＢ送信帯域幅のセット当たりに、１０個のＰＲＢを有するマルチセットＰＵＳＣＨについての表１において与えられる。各サブバンドには、１個のセットがある。
【００８５】
表１から、Ｎ＿ＰＲＢの全ての値がサポートされているわけではないことに留意すべきである。なぜなら、それらの値は、前述のように、２、３、５の倍数であるという条件を満たさない場合があるからである。従って、本発明の一実施形態において、リソース指標値（ＲＩＶ）の対応するシグナリング状態は、他の情報又はＮ＿ＰＲＢの他の値を示すために用いられ得る。例えば、７０の値は、別の有効な値、例えば、６４、７２、又は７５によって置き換えられ得る。
【００８６】
当業者であれば更に、開示されている方法を、サブバンドのサブセットのみにおいて適用することができるであろう。例えば、６４個のＰＲＢの場合、４個のサブバンドは、７個のＰＲＢを含み得る一方、６個のサブバンドは、６個のＰＲＢを含み得る。上記及び下記に開示されているように、リソースが、サブバンド当たり６個のＰＲＢについて示され得、どの４個のサブバンドに、７個のＰＲＢが割り当てられるか、及び、そのようなサブバンドにおける追加のＰＲＢの位置が、予め決定され得る。
【００８７】
従って、全てのサブバンドの割り当てられた周波数リソースの総数が、予め定められた値のセットに属する場合という条件下で、無線通信システム５００は、
同じ周波数リソース割り当てを有する複数の重複しないサブバンド、又は
第１のサブバンド又は第２のサブバンドにおける周波数リソース割り当てとは異なる周波数リソース割り当てを有する少なくとも１つの第３のサブバンド
を備える。
【００８８】
リソースインジケータ１１０におけるリソース割り当てフィールドは、サブバンド内の、開始リソースブロック（ＲＢＳＴＡＲＴ）インデックス及び連続的に割り当てられたリソースブロックに関する長さ（ＬＣＲＢｓ）に対応するリソース指標値（ＲＩＶ）を含む。指標は、次のように表され得、
【数４】
2019512180.tif 000006
ここで、所与の例において、
【数５】
2019512180.tif 000007
である。図７におけるリソース割り当ては、ＲＩＶ＝２１に対応するサブバンド内で（ＬＣＲＢｓ＝３，ＲＢＳＴＡＲＴ＝１）である。ＲＩＶ値は、バイナリ形式、例えば、「０１０１０１」で表され、及びシグナリングされ得る。
【００８９】
サブバンド内の割り当てられた周波数リソースから１対１のマッピングがあり、表１において示されているように、ＰＲＢの数は、即ち、
【数６】
2019512180.tif 000008
と示される。１つの代替的な例で、サブバンド内のＰＲＢの数及び開始位置が示されている。これは、
【数７】
2019512180.tif 000009
とも表され得る。
【００９０】
【表１】
2019512180.tif 000010
【表２】
2019512180.tif 000011
【００９１】
サブバンド内の開始位置及びＰＲＢの数の結合符号化は、有利である、なぜなら、総シグナリングオーバヘッドは、
【数８】
2019512180.tif 000012
ビットであり、これは、ビットマップを利用する等の、従来の方法において必要とされる１０ビットよりはるかに少ないからである。シグナリングオーバヘッドの低減は、有益である、なぜなら、それが、ダウンリンク制御チャネルの検出性能を向上させるからであり、これは、ＰＵＳＣＨを送信する前に正確に受信される必要がある。
【００９２】
さらに、ＰＵＳＣＨリソース割り当てタイプ０、単一クラスタ指示は、サブバンドにおいて制限されている指示の変更とともに再使用され得、これは、仕様及び実装の労力を低減する。
【００９３】
ネットワークノード１００とユーザデバイス３００との間の一般的なシグナリング手順が、ＬＴＥシステムにおいて図８で示されている。ネットワークノード１００は、本リソースインジケータ１１０を含むアップリンクグラント１２０をユーザデバイス３００に送信する。アップリンクグラント１２０、従ってリソースインジケータ１１０を受信すると、ユーザデバイス３００は、ＵＬ送信のための周波数割り当てを導出し、ＰＵＳＣＨ内のデータをネットワークノード３００に送信する。当業者によって理解されるように、リソースインジケータ１１０は、図６で示されている情報要素の何れかを少なくとも含んでよい。
【００９４】
更に、ユーザデバイス３００が、ユーザデバイス情報１３０を直接ネットワークノード１００に送信する実施形態が、図６において破線の矢印で示されている。ユーザデバイス情報１３０を受信すると、ネットワークノード１００は、ユーザデバイス情報１３０に基づいてリソースインジケータ１１０を決定する。また、トラフィック情報、モビリティ情報等のような更なる情報が、リソースインジケータ１１０を決定する場合にネットワークノード１００によって考慮されてよい。
【００９５】
別の例示的な実施形態において、以下の特性が保持される。
ｉ．無線通信システムの総送信帯域幅は、周波数ドメインにおいていくつかの等しいサブバンドに分割される。
ｉｉ．各サブバンドにおいて、ＵＥのＰＵＳＣＨのために割り当てられた２個の異なるクラスタがあり、ここで、各クラスタにおけるリソース要素は、連続的に割り当てられる。
ｉｉｉ．各サブバンドにおけるリソース割り当ては、同じである。
ｉｖ．リソース割り当ては、サブバンド内の第１のクラスタ（セット１）に対して開始インデックスＩ１及び割り当てられたリソースの数Ｎ１、また、サブバンド内の第２のクラスタ（セット２）に対して開始インデックスＩ２及び割り当てられたリソースの第２の数Ｎ２を表す単一の値によって示される。
【００９６】
本実施形態は、図９に示され、この中で、マルチクラスタ構造のためのリソース割り当ては、各サブバンドにおいてデュアルクラスタを有し、サブバンドは、１０個のＰＲＢを含み、セット１は、３個のＰＲＢを含み、セット２は、２個のＰＲＢを含む。図９は、周波数リソースの第１のセットＲ１及び周波数リソースの対応する第１のセットＲ１'の割り当てを示す。更に、周波数リソースの第２のセットＲ２、及び周波数リソースの対応する第２のセットＲ２の割り当てが、図９に示されている。本実施形態は有利である、なぜなら、それが、ユーザデバイス３００からの最大送信電力を可能にし得るからである。例えば、各１ＭＨｚ毎に与えられる電力スペクトル密度に対する規制要件を考慮すると、リソース割り当ては、帯域の２つの異なる１ＭＨｚ部分において２個のクラスタを提供し得る。例えば、サブバンドが、２ＭＨｚの帯域幅を有すると想定すると、デュアルクラスタ割り当ては、サブバンドの各１ＭＨｚ部分において１個のクラスタを提供し得る。
【００９７】
一例は、リソースインジケータ１１０が、例えば、送信グラント１２０におけるリソース割り当てフィールドとして、１個のリソース指標値（ＲＩＶ）を備える場合であり、ここで、リソース指示は、それぞれセット１、ｓ０及びｓ１−１、及びセット２、ｓ２及びｓ３−１の開始及び終了ＲＢインデックスに対応し、ここで、ＲＩＶは、Ｕ＝４である式
【数９】
2019512180.tif 000013
によって与えられ、
【数１０】
2019512180.tif 000014
は、拡張二項係数であり、一意のラベル
【数１１】
2019512180.tif 000015
をもたらす。Ｖは、サブバンド帯域幅
【数１２】
2019512180.tif 000016
に関し、
【数１３】
2019512180.tif 000017
である。
【００９８】
従って、送信帯域幅が１００ＰＲＢのケースに対してサブバンド帯域幅が１０ＰＲＢである場合にＶ＝１１であり、１０個のサブバンドに分割される。このように、セットに関して割り当てられるリソースの数が、暗示的に示されることに留意されたい。セット１に割り当てられるリソースの数は、ｓ１−ｓ０個のＲＢである。
【００９９】
本実施形態の一例が、図９において提供されている。図９におけるリソース割り当ては、サブバンドにおけるセット１に対応する（ｓ０＝１，ｓ１＝４）であり、サブバンドにおけるセット２に対応する（ｓ２＝５，ｓ３＝７）である。従って、リソース指示
【数１４】
2019512180.tif 000018
は、バイナリ形式、「１００００１０００」で表され、及びシグナリングされ得る。割り当てられたＰＲＢの総数、Ｎ＿ＰＲＢは、ＲＩＶの値（又は、等価的にｓ０、ｓ１、ｓ２、ｓ３）及びサブバンド数から決定され得ることが更に理解される。
【０１００】
この形式の符号化は、有利である、なぜなら、総シグナリングオーバヘッドは、
【数１５】
2019512180.tif 000019
ビットであり、これは、ビットマップを利用する等の、従来の方法において必要とされる１０ビットより少ないからである。さらに、ＰＵＳＣＨリソース割り当てタイプ２、デュアルセット指示は、サブバンドにおいて制限されている指示の変更とともに再使用され得、これは、仕様及び実装の労力を低減する。
【０１０１】
更に別の例示的な実施形態において、以下の特性が保持される。
ｉ．無線通信システムの総送信帯域幅は、周波数ドメインにおいていくつかの等しいサブバンドに分割される。
ｉｉ．各サブバンドは、周波数ドメインにおける２つのサブ領域に更に分割される。
ｉｉｉ．各サブ領域において、ＵＥのＰＵＳＣＨのために割り当てられた最大で１個のクラスタがあり、ここで、各クラスタにおけるリソース要素は、連続的に割り当てられる。
ｉｖ．各サブバンドにおけるリソース割り当ては、同じである。
ｖ．リソース割り当ては、２つの値によって示され、第１の値Ｖ１は、開始リソースインデックス及びサブバンドの第１のサブ領域内のクラスタ（セット）のための割り当てられたリソースの数を表し、第２の値Ｖ２は、リソースインデックス及びサブバンドの第２のサブ領域内のクラスタ（セット）のための割り当てられたリソースの数を表す。
【０１０２】
従って、本実施形態に係るリソースインジケータ１１０は、第１のサブバンドに、連続した第２のセットの周波数リソースＲ２、及び第２のサブバンドに、対応する連続した第２のセットの周波数リソースＲ２'を割り当てるために用いられる、第２の開始インデックスＩ２及び周波数リソースの第２の数Ｎ２を更に含む。更に、連続した第１のセットの周波数リソースＲ１は、第１のサブバンドの第１のサブ領域内に、及び第２のサブバンドの対応する第１のサブ領域内に割り当てられる。連続した第２のセットの周波数リソースＲ２'は、第１のサブバンドの第２のサブ領域内に、及び第２のサブバンドの対応する第２のサブ領域内に割り当てられる。第１のサブ領域及び第２のサブ領域は、重複せず、等しい数の周波数リソースを含む。
【０１０３】
本実施形態は、図１０に示され、この中で、マルチクラスタ構造のためのリソース割り当ては、各サブバンドにおいてデュアルクラスタ、各サブ領域において単一クラスタを有する。１個のサブバンドが、１０個のＰＲＢを含み、各サブバンドが、２つの等しいサイズのサブ領域に分割され、各々は、５個のＰＲＢに対応する。図１０は、第１のサブ領域における周波数リソースの第１のセットＲ１及び周波数リソースの対応する第１のセットＲ１'の割り当てを示す。更に、第２のサブ領域における周波数リソースの第２のセットＲ２及び周波数リソースの対応する第２のセットＲ２の割り当てが、図９で示される。
【０１０４】
本実施形態は、有利である、なぜなら、デュアルクラスタＰＵＳＣＨリソース割り当てが許可されることにより各サブバンド内に柔軟性があり、これにより、より柔軟なリソース割り当て及びＵＥの多重化をサポートするからである。ＰＵＳＣＨリソース割り当ては、各サブバンドにおいて同じであることに留意されたい。
【０１０５】
指標の一例が、以下の、それぞれ１０個のＰＲＢからなる１０個のサブバンドで構成される
【数１６】
2019512180.tif 000020
のＰＲＢ送信帯域幅のセット当たりに、１０個のＰＲＢを有するマルチクラスタＰＵＳＣＨについての表２において与えられる。各サブバンドは、２つのサブ領域に更に分割され、ここで各サブ領域には、１個のクラスタがある。表２から、全てのＰＲＢ値がサポートされ得ないことに留意すべきである。
【０１０６】
ＵＬグラント１１０におけるリソース割り当てフィールドが、２つのリソース指標値（ＲＩＶ）を備え、ここで、一方の値は、開始リソースインデックス及びサブバンドの第１のサブ領域内のクラスタに対する割り当てられたリソースの数を表し、他方の値は、リソースインデックス及びサブバンドの第２のサブ領域内のクラスタに対する割り当てられたリソースの数を表す。２つのリソース指標値のために使用される合計で
【数１７】
2019512180.tif 000021
ビットがあり、ここで、最初の４ビットは、１つのサブ領域のためであり、次の４ビットは、他のサブ領域のためである。１つのサブ領域に関する指示は、次のように表され得、
【数１８】
2019512180.tif 000022
ここで、所与の例において、
【数１９】
2019512180.tif 000023
である。
【０１０７】
図１０におけるリソース割り当ては、第１のサブ領域のためのＲＩＶ＝１１に対応する（ＬＣＲＢｓ＝３，ＲＢＳＴＡＲＴ＝１）であり、第２のサブ領域のためのＲＩＶ＝５に対応する（ＬＣＲＢｓ＝２，ＲＢＳＴＡＲＴ＝０）である。従って、リソース指示は、バイナリ形式、「１０１１０１０１」で表され、及びシグナリングされ得る。割り当てられたＰＲＢの総数、Ｎ＿ＰＲＢは、ＬＣＲＢｓの値及びサブバンド数から決定され得ることが更に理解される。
【０１０８】
サブバンド内の２個のクラスタの割り当ての結合符号化は、有利である、なぜなら、総シグナリングオーバヘッドは、８ビットであり、これは、ビットマップを利用する等の、従来の方法において必要とされる１０ビットより少ないからである。さらに、ＰＵＳＣＨリソース割り当てタイプ０、単一クラスタ指示は、必要とされる２つの単一クラスタ指示の変更で再使用され得、ここで、各指示が、サブ領域（サブバンドの半分）において制限され、これは、仕様及び実装の労力を低減する。
【０１０９】
一つの状態、例えば、全て１、即ち、「１１１１」の状態は、このサブ領域にＰＵＳＣＨが割り当てられていないことに対応し得る。第１のサブ領域にＰＵＳＣＨを割り当てない一方、他のサブ領域にＰＵＳＣＨを割り当てることにより、それは、サブバンド内の単一クラスタＰＵＳＣＨにフォールバックを提供する。それは、有利である、なぜなら、各サブバンド内の単一クラスタＰＵＳＣＨへのフォールバックが、サポートされ、これが、低減されたＣＭ性能を提供するからである。
【０１１０】
【表３】
2019512180.tif 000024
【０１１１】
図１１は、本発明の実施形態に係る、少なくとも１つのネットワークノード１００及び少なくとも１つのユーザデバイス３００を備える無線通信システム５００を示す。ユーザデバイス３００は、ネットワークノード１００からリソースインジケータ１１０を含む送信グラント１２０を受信する。リソースインジケータ１１０における周波数割り当てを導出した後、ユーザデバイス３００は、割り当てられた周波数リソースにおいてネットワークノード１００にデータを送信する。
【０１１２】
更に、本発明の実施形態に係るあらゆる方法は、処理手段によって実行された場合に、方法の段階を処理手段に実行させるコード手段を有するコンピュータプログラムで実装されてよい。コンピュータプログラムは、コンピュータプログラム製品のコンピュータ可読媒体に含まれる。コンピュータ可読媒体は、ＲＯＭ（リードオンリメモリ）、ＰＲＯＭ（プログラマブルリードオンリメモリ）、ＥＰＲＯＭ（消去可能ＰＲＯＭ）、フラッシュメモリ、ＥＥＰＲＯＭ（電気的消去可能ＰＲＯＭ）、又はハードディスクドライブのような、任意のメモリを本質的に含んでよい。
【０１１３】
さらに、当業者であれば、ネットワークノード１００及びユーザデバイス３００が、本解決手段を実行するために、例えば、機能、手段、ユニット、要素等の形式の必要な通信機能を備えることが理解される。このような他の手段、ユニット、要素及び機能の例は、プロセッサ、メモリ、バッファ、制御ロジック、エンコーダ、デコーダ、レートマッチャ、デレートマッチャ、マッピングユニット、乗算器、決定ユニット、選択ユニット、スイッチ、インタリーバ、デインタリーバ、変調器、復調器、入力、出力、アンテナ、増幅器、受信機ユニット、送信機ユニット、ＤＳＰ、ＭＳＤ、ＴＣＭエンコーダ、ＴＣＭデコーダ、電力供給ユニット、電力フィーダ、通信インタフェース、通信プロトコル等であり、これらは、本解決手段を実行するために、共に適切に配置される。
【０１１４】
特に、本ネットワークノード１００及びユーザデバイス３００のプロセッサは、例えば、中央処理装置（ＣＰＵ）、処理ユニット、処理回路、プロセッサ、特定用途向け集積回路（ＡＳＩＣ）、マイクロプロセッサ、又は命令を解釈及び実行し得る他の処理ロジックのうち１又は複数の例を含み得る。「プロセッサ」という表現は、従って、例えば、上述されたものの何れか、いくつか、又は全てのような、複数の処理回路を含む処理回路を表してよい。処理回路は、呼び出し処理制御、ユーザインタフェース制御等のようなデータバッファリング及びデバイス制御機能を含む、データの入力、出力、及び処理のためのデータ処理機能を更に実行してよい。
【０１１５】
最後に、本発明は、上述された実施形態に限定されるものではなく、さらに、添付された独立請求項の範囲内にある全ての実施形態に関し、これらを組み込むことを理解されたい。
【図１】
2019512180.tif 000025
【図２】
2019512180.tif 000026
【図３】
2019512180.tif 000027
【図４】
2019512180.tif 000028
【図５】
2019512180.tif 000029
【図６】
2019512180.tif 000030
【図７】
2019512180.tif 000031
【図８】
2019512180.tif 000032
【図９】
2019512180.tif 000033
【図１０】
2019512180.tif 000034
【図１１】
2019512180.tif 000035
【手続補正書】
【提出日】平成30年8月23日(2018.8.23)
【手続補正１】
【補正対象書類名】特許請求の範囲
【補正対象項目名】全文
【補正方法】変更
【補正の内容】
【特許請求の範囲】
【請求項１】
無線通信システムのためのネットワークノードであって、
第１の開始インデックス及び周波数リソースの第１の数を含むリソースインジケータを決定するように構成されるプロセッサであって、前記第１の開始インデックス及び周波数リソースの前記第１の数は、
第１のサブバンドに、連続した第１のセットの周波数リソース、及び
第２のサブバンドに、対応する連続した第１のセットの周波数リソース
を割り当てるために使用され、
前記第１のサブバンド及び前記第２のサブバンドは、重複せず、等しい数の周波数リソースを含む、プロセッサと、
前記リソースインジケータを含む送信グラントを、ユーザデバイスに送信するように構成される、トランシーバと
を備えるネットワークノード。
【請求項２】
前記トランシーバは、
前記ユーザデバイスと関連付けられた基準信号と、
前記ユーザデバイスの送信バッファにおけるビットの総数と、
前記ユーザデバイスで利用可能な送信電力と
のうちの少なくとも１つを含むユーザデバイス情報を受信する
ように構成され、
前記プロセッサは、
前記受信されたユーザデバイス情報に基づいて前記リソースインジケータを決定する
ように構成される、
請求項１に記載のネットワークノード。
【請求項３】
全てのサブバンドの割り当てられた周波数リソースの総数が、予め定められた値のセットに属する場合、前記無線通信システムは、
同じ周波数リソース割り当てを有する複数の重複しないサブバンド、又は
前記第１のサブバンド又は前記第２のサブバンドにおける前記周波数リソース割り当てとは異なる周波数リソース割り当てを有する少なくとも１つの第３のサブバンド
を備える、請求項１又は２に記載のネットワークノード。
【請求項４】
前記リソースインジケータは、
前記第１のサブバンドに、連続した第２のセットの周波数リソース、及び
前記第２のサブバンドに、対応する連続した第２のセットの周波数リソース
を割り当てるために用いられる第２の開始インデックス及び周波数リソースの第２の数
を更に含む、請求項１から３の何れか一項に記載のネットワークノード。
【請求項５】
前記連続した第１のセットの周波数リソースは、前記第１のサブバンドの第１のサブ領域内に、及び前記第２のサブバンドの対応する第１のサブ領域内に割り当てられ、前記連続した第２のセットの周波数リソースは、前記第１のサブバンドの第２のサブ領域内に、及び前記第２のサブバンドの対応する第２のサブ領域内に割り当てられ、
前記第１のサブ領域及び前記第２のサブ領域は、重複せず、等しい数の周波数リソースを含む、
請求項４に記載のネットワークノード。
【請求項６】
前記プロセッサは、
前記リソースインジケータを第１の割り当て値及び第２の割り当て値として決定する
ように構成され、
前記第１の割り当て値は、前記第１の開始インデックス及び周波数リソースの前記第１の数、又は、前記第１のサブ領域及び前記対応する第１のサブ領域内の周波数リソースの空のセットのいずれかを示し、
前記第２の割り当て値は、前記第２の開始インデックス及び周波数リソースの前記第２の数、又は、前記第２のサブ領域及び前記対応する第２のサブ領域内の周波数リソースの空のセットのいずれかを示す、
請求項５に記載のネットワークノード。
【請求項７】
前記プロセッサは、
前記リソースインジケータを単一の割り当て値として決定する
ように構成される、請求項１又は２に記載のネットワークノード。
【請求項８】
無線通信システムのためのユーザデバイスであって、
前記ユーザデバイスは、
ネットワークノードからリソースインジケータを含む送信グラントを受信するように構成されるトランシーバであって、前記リソースインジケータは、第１の開始インデックス及び周波数リソースの第１の数を含み、前記第１の開始インデックス及び周波数リソースの第１の数は、
第１のサブバンドに、連続した第１のセットの周波数リソース、及び
第２のサブバンドに、対応する連続した第１のセットの周波数リソース
を割り当てるために使用され、
前記第１のサブバンド及び前記第２のサブバンドは、重複せず、等しい数の周波数リソースを含む、トランシーバと、
前記リソースインジケータに基づいて、前記第１の開始インデックス及び周波数リソースの前記第１の数を導出するように構成されるプロセッサと
を備え、
前記トランシーバは、
前記連続した第１のセットの周波数リソース及び前記対応する連続した第１のセットの周波数リソースを用いてデータシンボルを前記ネットワークノードに送信するように構成される、
ユーザデバイス。
【請求項９】
前記リソースインジケータは、
前記第１のサブバンドに、連続した第２のセットの周波数リソース、及び
前記第２のサブバンドに、対応する連続した第２のセットの周波数リソース
を割り当てるために用いられる第２の開始インデックス及び周波数リソースの第２の数
を更に含み、
前記プロセッサは、
前記リソースインジケータに基づいて前記第２の開始インデックス及び周波数リソースの前記第２の数を導出する
ように構成され、
前記トランシーバは、
前記連続した第２のセットの周波数リソース及び前記対応する連続した第２のセットの周波数リソースを用いてデータシンボルを前記ネットワークノードに送信する
ように構成される、
請求項８に記載のユーザデバイス。
【請求項１０】
前記連続した第１のセットの周波数リソースは、前記第１のサブバンドの第１のサブ領域内に、及び前記第２のサブバンドの対応する第１のサブ領域内に割り当てられ、前記連続した第２のセットの周波数リソースは、前記第１のサブバンドの第２のサブ領域内に、及び前記第２のサブバンドの対応する第２のサブ領域内に割り当てられ、
前記第１のサブ領域及び前記第２のサブ領域は、重複せず、等しい数の周波数リソースを含む、
請求項９に記載のユーザデバイス。
【請求項１１】
前記リソースインジケータは、第１の割り当て値及び第２の割り当て値として表され、
前記第１の割り当て値は、前記第１の開始インデックス及び周波数リソースの前記第１の数、又は、前記第１のサブ領域及び前記対応する第１のサブ領域内の周波数リソースの空のセットを示し、
前記第２の割り当て値は、前記第２の開始インデックス及び周波数リソースの前記第２の数、又は、前記第２のサブ領域及び前記対応する第２のサブ領域内の周波数リソースの空のセットを示し、
前記プロセッサは、
前記第１の割り当て値に基づいて、前記第１の開始インデックス及び周波数リソースの前記第１の数を導出し、
前記第２の割り当て値に基づいて、前記第２の開始インデックス及び周波数リソースの前記第２の数を導出する
ように構成され、
前記トランシーバは、
前記連続した第１のセットの周波数リソース及び前記対応する連続した第１のセットの周波数リソースを用いてデータシンボルを前記ネットワークノードに送信し、
前記連続した第２のセットの周波数リソース及び前記対応する連続した第２のセットの周波数リソースを用いて、データシンボルを前記ネットワークノードに送信する、
ように構成される、
請求項１０に記載のユーザデバイス。
【請求項１２】
前記リソースインジケータは、単一の割り当て値として表され、
前記プロセッサは、
前記単一の割り当て値に基づいて前記第１の開始インデックス及び周波数リソースの前記第１の数並びに前記第２の開始インデックス及び周波数リソースの前記第２の数のうちの少なくとも１つを導出する
ように構成される、
請求項１０又は１１に記載のユーザデバイス。
【請求項１３】
第１の開始インデックス及び周波数リソースの第１の数を含むリソースインジケータを決定する段階であって、前記第１の開始インデックス及び周波数リソースの前記第１の数は、
第１のサブバンドに、連続した第１のセットの周波数リソース、及び
第２のサブバンドに、対応する連続した第１のセットの周波数リソース
を割り当てるために使用され、
前記第１のサブバンド及び前記第２のサブバンドは、重複せず、等しい数の周波数リソースを含む、決定する段階と、
前記リソースインジケータを含む送信グラントを、ユーザデバイスに送信する段階と
を備える方法。
【請求項１４】
ネットワークノードからリソースインジケータを含む送信グラントを受信する段階であって、前記リソースインジケータは、第１の開始インデックス及び周波数リソースの第１の数を備え、前記第１の開始インデックス及び周波数リソースの前記第１の数は、
第１のサブバンドに、連続した第１のセットの周波数リソース、及び
第２のサブバンドに、対応する連続した第１のセットの周波数リソース
を割り当てるために使用され、
前記第１のサブバンド及び前記第２のサブバンドは、重複せず、等しい数の周波数リソースを含む、受信する段階と、
前記リソースインジケータに基づいて、前記第１の開始インデックス及び周波数リソースの前記第１の数を導出する段階と、
前記連続した第１のセットの周波数リソース、及び前記対応する連続した第１のセットの周波数リソースを用いてデータシンボルを前記ネットワークノードに送信する段階と
を備える
方法。
【請求項１５】
コンピュータプログラムであって、前記コンピュータプログラムがコンピュータ上で動作する場合に、請求項１３又は１４に記載の方法を実行するためのプログラムコードを含むコンピュータプログラム。
【手続補正２】
【補正対象書類名】明細書
【補正対象項目名】００７０
【補正方法】変更
【補正の内容】
【００７０】
本発明の別の実施形態において、トランシーバ１０４は、ユーザデバイス３００への送信グラント１２０の送信に応答して、ユーザデバイス３００からデータを受信するように構成される。従って、ユーザデバイス３００は、ネットワークノード１００にデータを送信するために、割り当てられた連続した第１のセットの周波数リソースＲ１、及び対応する連続した第１のセットの周波数リソースＲ１'を用いるように構成される。
【手続補正３】
【補正対象書類名】明細書
【補正対象項目名】００９３
【補正方法】変更
【補正の内容】
【００９３】
ネットワークノード１００とユーザデバイス３００との間の一般的なシグナリング手順が、ＬＴＥシステムにおいて図８で示されている。ネットワークノード１００は、本リソースインジケータ１１０を含むアップリンクグラント１２０をユーザデバイス３００に送信する。アップリンクグラント１２０、従ってリソースインジケータ１１０を受信すると、ユーザデバイス３００は、ＵＬ送信のための周波数割り当てを導出し、ＰＵＳＣＨ内のデータをネットワークノード１００に送信する。当業者によって理解されるように、リソースインジケータ１１０は、図６で示されている情報要素の何れかを少なくとも含んでよい。
【手続補正４】
【補正対象書類名】明細書
【補正対象項目名】００９４
【補正方法】変更
【補正の内容】
【００９４】
更に、ユーザデバイス３００が、ユーザデバイス情報１３０を直接ネットワークノード１００に送信する実施形態が、図８において破線の矢印で示されている。ユーザデバイス情報１３０を受信すると、ネットワークノード１００は、ユーザデバイス情報１３０に基づいてリソースインジケータ１１０を決定する。また、トラフィック情報、モビリティ情報等のような更なる情報が、リソースインジケータ１１０を決定する場合にネットワークノード１００によって考慮されてよい。
【手続補正５】
【補正対象書類名】明細書
【補正対象項目名】００９６
【補正方法】変更
【補正の内容】
【００９６】
本実施形態は、図９に示され、この中で、マルチクラスタ構造のためのリソース割り当ては、各サブバンドにおいてデュアルクラスタを有し、サブバンドは、１０個のＰＲＢを含み、セット１は、３個のＰＲＢを含み、セット２は、２個のＰＲＢを含む。図９は、周波数リソースの第１のセットＲ１及び周波数リソースの対応する第１のセットＲ１'の割り当てを示す。更に、周波数リソースの第２のセットＲ２、及び周波数リソースの対応する第２のセットＲ２'の割り当てが、図９に示されている。本実施形態は有利である、なぜなら、それが、ユーザデバイス３００からの最大送信電力を可能にし得るからである。例えば、各１ＭＨｚ毎に与えられる電力スペクトル密度に対する規制要件を考慮すると、リソース割り当ては、帯域の２つの異なる１ＭＨｚ部分において２個のクラスタを提供し得る。例えば、サブバンドが、２ＭＨｚの帯域幅を有すると想定すると、デュアルクラスタ割り当ては、サブバンドの各１ＭＨｚ部分において１個のクラスタを提供し得る。
【手続補正６】
【補正対象書類名】明細書
【補正対象項目名】０１０３
【補正方法】変更
【補正の内容】
【０１０３】
本実施形態は、図１０に示され、この中で、マルチクラスタ構造のためのリソース割り当ては、各サブバンドにおいてデュアルクラスタ、各サブ領域において単一クラスタを有する。１個のサブバンドが、１０個のＰＲＢを含み、各サブバンドが、２つの等しいサイズのサブ領域に分割され、各々は、５個のＰＲＢに対応する。図１０は、第１のサブ領域における周波数リソースの第１のセットＲ１及び周波数リソースの対応する第１のセットＲ１'の割り当てを示す。更に、第２のサブ領域における周波数リソースの第２のセットＲ２及び周波数リソースの対応する第２のセットＲ２'の割り当てが、図９で示される。
【手続補正７】
【補正対象書類名】明細書
【補正対象項目名】０１０６
【補正方法】変更
【補正の内容】
【０１０６】
ＵＬグラント１２０におけるリソース割り当てフィールドが、２つのリソース指標値を備え、ここで、一方の値は、開始リソースインデックス及びサブバンドの第１のサブ領域内のクラスタに対する割り当てられたリソースの数を表し、他方の値は、リソースインデックス及びサブバンドの第２のサブ領域内のクラスタに対する割り当てられたリソースの数を表す。２つのリソース指標値のために使用される合計で
【数１７】
2019512180.tif 000036
ビットがあり、ここで、最初の４ビットは、１つのサブ領域のためであり、次の４ビットは、他のサブ領域のためである。１つのサブ領域に関する指示は、次のように表され得、
【数１８】
2019512180.tif 000037
ここで、所与の例において、
【数１９】
2019512180.tif 000038
である。
【国際調査報告】
2019512180.tif 000039
2019512180.tif 000040
2019512180.tif 000041